(57)【要約】【課題】防水型の電気かみそりとして十分な安全性を備え、かつ電気かみそりの内部における部品の配置等を容易にして、設計の自由度を増し、容易に製造可能な電気かみそりを提供する。【解決手段】本体ケーシング１０の内部に充電池１８を内蔵した防水型の充電式電気かみそりにおいて、前記本体ケーシング１０の内部に、充電池１８を収容する充電池室Ａとモータ２０を収容する駆動部室Ｂとを隔離する隔壁部３０を設け、前記隔壁部３０に、モータ２０の本体部分を前記充電池室側に突出させ、充電池室と駆動部室とを気密にシールするシール手段３２、３４を設けたことを特徴とする。【選択図】          図１
2004350764.tif 000002
【特許請求の範囲】
【請求項１】
本体ケーシングの内部に充電池を内蔵した防水型の充電式電気かみそりにおいて、
前記本体ケーシングの内部に、充電池を収容する充電池室とモータを収容する駆動部室とを隔離する隔壁部を設け、
前記隔壁部に、モータの本体部分を前記充電池室側に突出させ、充電池室と駆動部室とを気密にシールするシール手段を設けたことを特徴とする充電式電気かみそり。
【請求項２】
前記隔壁部にモータ装着孔を設け、
該モータ装着孔に連通して、モータの本体部分を収容する有底のケース状に形成されたモータカバーを、前記充電池室側にモータカバーの底部側を延出させて前記隔壁部に気密に取り付け、
前記モータカバーに前記モータの本体部分を収容したことを特徴とする請求項１記載の充電式電気かみそり。
【請求項３】
前記モータカバーの開口部の周縁にフランジを設け、隔壁部と前記フランジとの間にシール材を配して、モータカバーを隔壁部に気密に取り付けたことを特徴とする請求項２記載の充電式電気かみそり。
【請求項４】
前記モータカバーが、合成樹脂を用いて一体成形されたものであることを特徴とする請求項２または３記載の充電式電気かみそり。
【請求項５】
本体ケーシングの底部側に充電池室を設け、隔壁部を隔てて該充電池室に隣接して駆動部室を設け、
該駆動部室を刃ヘッド部を装着する刃受け台に水密にシールして設けたことを特徴とする請求項１記載の充電式電気かみそり。
【発明の詳細な説明】
【０００１】
【発明の属する技術分野】
本発明は充電式電気かみそりに関し、より詳細には防水性を備えた安全性の高い充電式電気かみそりに関する。
【０００２】
【従来の技術】
充電式電気かみそりは本体ケーシング内に内蔵された充電池を充電することによって繰り返して使用される。この充電式電気かみそりは、通常の充電操作の場合にはまったく問題ないのであるが、逆充電したり、急速充電によって過充電したりすると、充放電反応によって充電池の内部に酸素ガスと水素ガスが発生するという問題があり、充電池には内部ガス圧が異常に上昇した際にガスを充電池の外部に放出する安全弁が設けられている。
【０００３】
しかしながら、防水型の電気かみそりの場合には、本体ケーシングに収容されている各種の部品を防水するために、本体ケーシングを外部から水密にシールする構造としているため、充電池から放出されたガスが本体ケーシングの内部に充満してしまい、水素ガスにモータの火花が引火するという問題があった。このため、防水型の充電式電気かみそりでは、本体ケーシングに通気口を設けるとともに通気性シート等により通気口を塞いで本体ケーシングを水密にシールし、本体ケーシング内に放出されたガスを本体ケーシングの外部に排出することがなされている。
しかしながら、このような構成とすると、充電池から放出されたガスが通気性シートによって本体ケーシングの外部に排出することが妨げられ、本体ケーシングの内部に溜まったガスに引火するという問題があった。特許文献１に記載されている充電式電気かみそりは、このような問題を解決する方法として、充電池室とモータを収容する駆動部室とをシール材を用いて気密に隔離し、火花がガスに引火しないようにしたものである。
【０００４】
【特許文献１】
特開昭５８−６５８８４号公報
【０００５】
【発明が解決しようとする課題】
上記のように、ガスの発生源である充電池室と火花が発生する可能性のある駆動部室とを気密に隔離する方法は、火花の引火を防止する上では有効であるが、従来のように、充電池室と駆動部室とを気密に分離するために本体ケーシングの内部を横切るように隔壁を設けた場合は、電気かみそりの内部における部品の配置が制約されるという問題がある。
とくに本体ケーシングが湾曲した形状に形成された製品では、本体ケーシングの内部を仕切るように隔壁を設けると、部品を配置する自由度が制約され、部品配置が困難になる。
【０００６】
図２に示す電気かみそりは、回転式電気かみそりであり、１２は本体ケーシング１０の上部に着脱自在に装着される刃ヘッド部、１４は刃ヘッド部１２に取り付けられた外刃である。図３は、この電気かみそりの本体ケーシング１０の内部に隔壁１６を配置した例を示す。１６が隔壁、１８が充電池、２０がモータである。隔壁１６が本体ケーシング１０を横切るように配置され、充電池室Ａとモータ２０が配置された駆動部室Ｂとが分離されていることを示す。
【０００７】
このように、隔壁１６を単に本体ケーシング１０の内部空間を横切るように設けたとすると、隔壁１６によって本体ケーシング１０の内部空間が２つに分割され、隔壁１６によって仕切られた各々のスペースに部品を収容することになる。電気かみそりの制御に必要な多くの部品を収容しなければならない場合には、隔壁１６によって仕切られたスペースに別個に部品を収容することになるから、隔壁１６を挟んで電気的な接続をとるといった必要があり、隔壁１６に電気的な接続部を設けるといった複雑な構成にならざるを得ないといった問題が生じる。
【０００８】
本発明はこのような防水型の充電式電気かみそりにおける問題に鑑みてなされたものであり、その目的とするところは、モータの火花が充電池から発生した水素ガスに引火するといった危険を防止し、十分な安全性を備えるとともに、電気かみそりの内部構造を複雑にすることなく、部品の配置等を容易にして組立を容易にするとともに、設計の自由度を増すことができる充電式電気かみそりを提供するにある。
【０００９】
【課題を解決するための手段】
上記目的を達成するため、本発明は次の構成を備える。
すなわち、本体ケーシングの内部に充電池を内蔵した防水型の充電式電気かみそりにおいて、前記本体ケーシングの内部に、充電池を収容する充電池室とモータを収容する駆動部室とを隔離する隔壁部を設け、前記隔壁部に、モータの本体部分を前記充電池室側に突出させ、充電池室と駆動部室とを気密にシールするシール手段を設けたことを特徴とする。
【００１０】
前記隔壁部にモータ装着孔を設け、該モータ装着孔に連通して、モータの本体部分を収容する有底のケース状に形成されたモータカバーを、前記充電池室側にモータカバーの底部側を延出させて前記隔壁部に気密に取り付け、前記モータカバーに前記モータの本体部分を収容したことを特徴とする。
また、前記モータカバーの開口部の周縁にフランジを設け、隔壁部と前記フランジとの間にシール材を配して、モータカバーを隔壁部に気密に取り付けたことを特徴とする。
また、前記モータカバーが、合成樹脂を用いて一体成形されたものであることを特徴とする。
また、本体ケーシングの底部側に充電池室を設け、隔壁部を隔てて該充電池室に隣接して駆動部室を設け、該駆動部室を刃ヘッド部を装着する刃受け台に水密にシールして設けたことを特徴とする。
【００１１】
【発明の実施の形態】
以下、本発明に係る充電式電気かみそりのの好適な実施の形態について詳細に説明する。
図１は本発明に係る充電式電気かみそりの一実施形態の内部構造を示す。本実施形態の充電式電気かみそりは、防水性を備えた回転式電気かみそりであり、図１に示すように本体ケーシング１０が湾曲形状で形成されているものである。
図１において、１８が本体ケーシング１０の下部側に収納された充電池であり、２０が本体ケーシング１０の略中央部に配置されたモータである。本体ケーシング１０が側面形状で湾曲形状となっているため、図のように充電池１８の長手方向とモータ２０の軸線方向とはその向きが屈曲した配置となっている。
【００１２】
本実施形態の充電式電気かみそりにおいて特徴的な構成は、本体ケーシング１０の内部に設ける隔壁部３０を、モータ２０の肩部の位置に配置し、隔壁部３０から充電池室Ａ側に、モータ２０の本体を収納するモータカバー３２を延出させるとともに、モータカバー３２を隔壁部３０に気密に取り付けた点にある。
隔壁部３０は、本体ケーシング１０の内部を充電池室Ａと駆動部室Ｂとに仕切るように設けられている。本実施形態においては、本体ケーシング１０の最上部に位置する刃受け台５０との間にモータ２０によって駆動される駆動機構を収容する間隔をあけて、刃受け台５０と略平行に隔壁部３０が設けられている。
【００１３】
隔壁部３０の中央部にはモータ２０の本体部分が挿入可能な大きさに開口するモータ装着孔３０ａが設けられ、モータ装着孔３０ａに充電室側に張り出すように有底の筒形ケース状に形成されたモータカバー３２が取り付けられている。モータカバー３２はモータ２０の本体部分を収容するためのものであり、モータ２０の本体部分が収納できる深さで、かつモータ２０の本体部分の外径に合わせた内径寸法に形成されている。本実施形態では、モータカバー３２にモータ２０を収納した状態でモータ２０の肩部が露出する程度の深さにモータカバー３２を形成した。
【００１４】
モータカバー３２はモータ２０を収納するとともに、モータ２０を充電池室Ａと気密に隔離する作用を有する。このため、モータカバー３２はモータ２０を気密に隔離できる材料によって形成する。本実施形態では合成樹脂を用いた樹脂成形により所定形状に成形してモータカバー３２とした。合成樹脂のかわりにゴム等を使用してもよい。
充填値室Ａと駆動部室Ｂとを気密にシールするため、モータカバー３２の開口部の周縁（隔壁部３０に取り付ける側）にフランジ３２ａを設け、隔壁部３０とフランジ３２ａとの間にシール材３４を配置して、シール材３４がフランジ３２ａと隔壁部３０とによって挟圧されるようにモータカバー３２を隔壁部３０に取り付ける。
本実施形態では、モータカバー３２とシール材３４が充電池室Ａと駆動部室Ｂとを気密に隔離するためのシール手段として作用しており、これによってモータ２０が収容されている駆動部室Ｂと、充電池１８が収容されている充電池室Ａとが気密に隔離された空間となる。
【００１５】
なお、モータ２０の底部に端子が設けられているような場合には、モータカバー３２の底部に、モータ２０と充電池１８とを電気的に接続するための接続端子を設け、接続端子をハーメチックシールとしてモータカバー３２に気密に封着するか、モータカバー３２を貫通させて設けた接続端子を接着剤により気密に封着して充電池室Ａと駆動部室Ｂとを気密に隔離する。なお、接続端子を隔壁部３０に気密に取り付けて、充電池室Ａと駆動部室Ｂとを気密に隔離した状態でモータ２０と充電池１８とを電気的に接続するようにすることもできる。
【００１６】
このように、モータ２０の肩部の近傍に隔壁部３０を配置し、隔壁部３０からモータ２０の本体部分の外面形状にならった形状にモータカバー３２を延出し、モータカバー３２にモータ２０の本体部分を収納してモータ２０を配置する方法によれば、充電池室Ａにモータカバー３２が突出する形態にはなるものの、隔壁によって本体ケーシング１０の内部空間を仕切る配置としてはもっとも効率的な配置となり、充電池室Ａの内部空間を広く確保することが可能になる。隔壁部３０によって仕切られた充電池室Ａ側は連通空間となるから、回路部品等を配置する場合でも部品配置の自由度が増し、部品間の電気的接続も容易になる。
【００１７】
図１において、本体ケーシング１０の底部には充電用の端子３８が設けられ、充電用の端子３８が設けられている凹部の底部側面に通気孔が開口し、通気孔を閉止するように通気性シート４０が設けられている。この通気性シート４０は充電池１８から発生したガスを本体ケーシング１０から外部に放出させるためのものである。
充電池にはニッケル−カドミウム電池等が使用され、逆充電等を行った際に充放電反応によって充電池内に多量のガスが発生する場合がある。充電池内のガス圧が高まった際に安全弁が作用して充電池からガスが外部に排出される。通気性シート４０はこのようなガスを本体ケーシング１０から外部に排出させる作用を有するものである。
【００１８】
本実施形態の電気かみそりは防水型のものであり、通気性シート４０を使用して、防水性を確保するとともに、充電池１８から放出されたガスを本体ケーシング１０から排出できるようにしている。防水性を確保するため、本体ケーシング１０の連結部等にはＯリング等のシール材が設けられている。こうして、充電池室Ａは充電池１８から発生するガスを排出可能に、かつ外部から水密にシールされて保持され、防水されている。
【００１９】
一方、本実施形態の電気かみそりの駆動部室Ｂの防水については、刃受け台５０の裏面側、すなわち駆動部室Ｂ側に防水板５２を設け、防水板５２の外周囲にシール材５４を配置し、刃受け台５０と防水板５２との間でシール材５４を挟圧することによって刃受け台５０との間で駆動部室Ｂを水密にシールしている。
モータ２０の駆動軸２２は、駆動軸２２に固定されたギア２３、ギア２３と噛合する共通ギヤ２４、共通ギア２４と噛合するギア２５を介して回転軸２６に連繋する。回転軸２６はギア２５に固定されており、ギア２５が回転駆動されることによって回転する。
【００２０】
嵌合軸２７は、回転軸２６に対してその軸線方向に可動に、かつ外刃に向けて付勢された状態で支持されている（フローティング支持）。嵌合軸２７には内刃（不図示）が係合し、嵌合軸２７が回転駆動されることによって嵌合軸２７とともに内刃が回転する。内刃はスプリング２９の付勢力によって外刃の刃面に常時摺接して回転し、これによってひげそり作用をなす。
２８は駆動部室Ｂから刃ヘッド部１２側に延出する回転軸２６を水密にシールするためのシール材である。シール材２８は防水板５２と回転軸２６の外周面との間に配置され、回転軸２６の外周面に常時摺接することによって、刃受け台５０と防水板５２における回転軸２６の取り付け部分を水密にシールしている。
【００２１】
こうして、刃受け台５０と隔壁部３０およびモータカバー３２によって囲まれた駆動部室Ｂは水密にシールされた状態で外部から完全に隔離された状態になる。これによって、駆動部室Ｂは防水状態になるとともに、充電池室Ａと合わせて電気かみそり全体が防水された状態になる。
また、駆動部室Ｂと充電池室Ａと隔壁部３０およびモータカバー３２によって気密に仕切られていることにより、モータ２０の火花が充電池室Ａ内のガスに引火することが防止され、電気かみそりの安全性が図られる。
【００２２】
なお、本実施形態においては、モータ２０は、本体ケーシング１０に対して固定して設けられているギア軸受け板３６に固定することによって支持されている。モータ２０を支持する方法としては、このように隔壁部３０とは別に設けた支持体に支持することも可能であるし、隔壁部３０そのものにモータ２０を固定して支持することも可能である。
また、モータ２０を隔壁部３０に気密にシールして取り付ける方法としては、上記実施形態のように充電池室Ａ側に延出するモータ２０の本体部分の外面を完全に覆うようにモータカバー３２を設ける方法の他に、隔壁部３０に設けたモータ装着孔３０ａの内周面とモータ２０の外周面との間を気密にシールするようにモータカバーを配置し、充電池室Ａ側に延出するモータ２０の本体部分の外面全体を完全には覆わないようにすることも可能である。
【００２３】
【発明の効果】
本発明に係る充電式電気かみそりによれば、上述したように、充電池室と駆動部室とを分離する隔壁部に充電池室と駆動部室とを気密に隔離するシール手段を設け、モータの本体部分を隔壁部から充電池室側に突出させる構成としたことによって、モータの本体部分が配置される部位と充電池とを配置する空間が連通空間となり、本体ケーシング内における部品の配置を容易にし、種々の設計の自由度を向上させることが可能になる等の著効を奏する。
【図面の簡単な説明】
【図１】本発明に係る充電式電気かみそりの一実施形態の内部構成を示す説明図である。
【図２】充電式電気かみそりの全体形状を示す側面図である。
【図３】充電式電気かみそりに隔壁を設けた例を示す説明図である。
【符号の説明】
１０  本体ケーシング
１２  刃ヘッド部
１６  隔壁
１８  充電池
２０  モータ
２２  駆動軸
２６  回転軸
２７  嵌合軸
２８  シール材
３０  隔壁部
３０ａ  モータ装着孔
３２  モータカバー
３２ａ  フランジ
３４  シール材
３６  ギア軸受け板
５０  刃受け台
５２  防水板
５４  シール材
【図１】
2004350764.tif 000003
【図２】
2004350764.tif 000004
【図３】
2004350764.tif 000005